(57)【要約】【課題】各負荷部品のバラツキによる動作不良をなくし、かつ、発生した動作不良の原因を判別できるようにする。【解決手段】センサ７，１２，１３を含む負荷部品６，１０，１４と、複数のスイッチ１８ａ〜１８ｈからなる入力手段と、表示手段（液晶表示板１６）と、プログラムと設定データＤａ１〜Ｄｇ５５とを記憶した第１記憶媒体（ＲＯＭ２９）を有するマイコン３１と、各設定データＤａ１〜Ｄｇ５５の補正データｄｂ１〜ｄｈ５５をそれぞれ記憶した書換可能な不揮発性の第２記憶媒体（ＥＥＰＲＯＭ３０）とを備えた家庭用電気製品（圧力炊飯器１）において、プログラムに、入力手段の操作により表示手段で表示しながら各補正データｄｂ１〜ｄｈ５５毎にその補正データｄｂ１〜ｄｈ５５を書換可能とする補正データ書換工程を設けるとともに、その補正データｄｂ１〜ｄｈ５５の整合性を検査するデータ検査工程を設けた構成とする。【選択図】　図２
2004065564.tif 000002
【特許請求の範囲】
【請求項１】
外装体の内部に配設したセンサを含む負荷部品と、
前記外装体の表面に配設した複数のスイッチからなる入力手段と、
前記入力手段による選択状態や前記負荷部品の動作状態などを表示する表示手段と、
前記負荷部品および表示手段を制御するプログラムと、該プログラムで使用する複数の設定データとを記憶した第１記憶媒体を有するマイコンと、
前記各設定データの補正データをそれぞれ記憶した書換可能な不揮発性の第２記憶媒体とを備え、
前記マイコンが入力手段による選択に応じ、前記設定データと補正データに基づいて前記負荷部品をプログラムに従って制御する家庭用電気製品において、
前記プログラムに、前記入力手段の操作により前記表示手段で表示しながら各補正データ毎にその補正データを書換可能とする補正データ書換工程を設けるとともに、その補正データの整合性を検査するデータ検査工程を設けたことを特徴とする家庭用電気製品。
【請求項２】
前記第２記憶媒体は、前記補正データを記憶する複数のアドレスを備えるとともに、特定のアドレスに全ての補正データを加算した加算データを記憶しており、
前記補正データ書換工程は、所定のアドレスの補正データを変更することにより、その変更による差を前記加算データに同時に加算するステップを備え、
前記データ検査工程は、全ての補正データを加算するステップと、その加算値と記憶された前記加算データとを比較するステップとを備え、一致するか否かにより整合性を検査するものであることを特徴とする請求項１に記載の家庭用電気製品。
【請求項３】
前記マイコンは、データ検査工程での補正データの整合結果を前記表示手段に表示するようにしたことを特徴とする請求項１または請求項２に記載の家庭用電気製品。
【請求項４】
前記第２記憶媒体に、該第２記憶媒体に記憶させた補正データのバージョンナンバーを記憶させ、
前記マイコンは、前記データ検査工程で補正データが整合していると判断すると、その整合結果として前記バージョンナンバーを表示する一方、整合していないと判断するとエラー表示をするようにしたことを特徴とする請求項３に記載の家庭用電気製品。
【発明の詳細な説明】
【０００１】
【発明の属する技術分野】
本発明は、炊飯器、電気ポット、空気清浄機、浄水器、加湿器等の家庭用電気製品に関し、特に、書換可能な不揮発性の記憶媒体を備え、この記憶媒体に制御プログラムで使用する設定データの補正データを記憶させた家庭用電気製品に関するものである。
【０００２】
【従来の技術】
この種の家庭用電気製品は、センサを含む複数の負荷部品と、これら負荷部品を制御するマイコンを備えている。このマイコンは、内蔵した記憶媒体であるＲＯＭに、前記負荷部品を制御するプログラムと、前記センサの出力に基づいた判断基準となる設定データとが記憶されている。
【０００３】
例えば、炊飯器は、ＲＯＭに予熱、中ぱっぱ、沸騰維持、むらしおよび２度炊きなどの工程を有する炊飯プログラムが記憶されており、これらの工程の実行条件や次の工程への移行時期などを前記設定データに基づいて判断することにより、加熱手段による加熱温度や加熱時間を制御し、希望のご飯を炊き上げる。
【０００４】
しかし、電気製品の製造メーカでは、新製品を開発する場合、その発売開始直前まで前記判断基準となる設定データを変更できる環境が好ましい。しかし、前記ＲＯＭに記憶する設定データは、書き換えが非常に困難であり、長い作業時間を要するため、設定データを書き換える場合には発売時期が大幅に遅れるという問題がある。また、電気製品に搭載した各負荷部品は、それぞれ固有のバラツキを有するため、同一機種において精度のバラツキを防止するため、各機器毎に制御プログラムの微調整を行う必要がある。
【０００５】
そこで、近年では、マイコンのＲＯＭと比較して書き換可えが容易な不揮発性の第２の記憶媒体（プログラマブルＲＯＭ）を更に設け、この第２記憶媒体に前記設定データの補正データを記憶させることにより、プログラムで使用する判断基準値を変更できるようにしたものが提供されている。
【０００６】
このような第２記憶媒体を用いた電気製品としては、特開平９−２５２９４８号に記載の炊飯器がある。この炊飯器は、外装体の表面に設けた複数のスイッチからなる入力手段により、前記第２記憶媒体（ＥＥＰＲＯＭ）に記憶した補正データを書換可能としている。
【０００７】
【発明が解決しようとする課題】
しかしながら、書き換えを可能とした不揮発性の記憶媒体は、各アドレスを構成する複数のビットに対して電力を供給することにより、その記憶した情報を維持するものである。そのため、その記憶媒体自体の製造上の固有のバラツキや、この記憶媒体を搭載するための回路基板の製造上のバラツキなどにより、特定のビットに対する電圧供給量が不足し、そのビットの情報がリセットされてしまう可能性がある。そして、１つのビットの情報がリセットされると、そのビットを含むアドレスのデータが異なる情報に変わってしまう可能性がある。また、電源の供給ラインにおいて、ノイズの発生などによって過剰な電圧が加わった場合にも同様に所定のアドレスのデータが異なる情報に変わってしまう可能性がある。
【０００８】
その結果、例えば、ユーザから電気製品の動作不良の苦情があった場合、前述のように、搭載した各負荷部品の固有のバラツキにより発生した不都合なのか、前記第２記憶媒体に記憶したデータのバケにより発生した不都合なのかを判別することができないという問題がある。
【０００９】
そこで、本発明では、搭載した各負荷部品のバラツキによる動作不良をなくし、かつ、発生した動作不良の原因を判別できるようにした家庭用電気製品を提供することを課題とするものである。
【００１０】
【課題を解決するための手段】
前記課題を解決するため、本発明の家庭用電気製品は、外装体の内部に配設したセンサを含む負荷部品と、前記外装体の表面に配設した複数のスイッチからなる入力手段と、前記入力手段による選択状態や前記負荷部品の動作状態などを表示する表示手段と、前記負荷部品および表示手段を制御するプログラムと、該プログラムで使用する複数の設定データとを記憶した第１記憶媒体を有するマイコンと、前記各設定データの補正データをそれぞれ記憶した書換可能な不揮発性の第２記憶媒体とを備え、前記マイコンが入力手段による選択に応じ、前記設定データと補正データに基づいて前記負荷部品をプログラムに従って制御する家庭用電気製品において、前記プログラムに、前記入力手段の操作により前記表示手段で表示しながら各補正データ毎にその補正データを書換可能とする補正データ書換工程を設けるとともに、その補正データの整合性を検査するデータ検査工程を設けた構成としている。
【００１１】
ここで、本発明では、前記補正データは、設定データを変更したい差分のデータを記憶させ、マイコンが該補正データと設定データとを加算して判断基準値を決定する方法と、実際の判断基準値をそのまま記憶させ、マイコンが設定データを使用することなく補正データのみを判断基準値として使用する方法の両方を含む。
【００１２】
前記家庭用電気製品によれば、既存の入力手段および表示手段を用いて第２記憶媒体に記憶した補正データを書き換えることができるため、ユーザから動作不良の苦情があった場合に簡単に調整することができる。また、この補正データ書換工程の実行後には、第２記憶媒体に記憶した補正データの整合性を検査するデータ検査工程を実行するため、前記動作不良が各負荷部品の固有のバラツキにより発生したものか、第２記憶媒体に記憶したデータのバケにより発生したものかを判別することができる。
【００１３】
具体的には、前記第２記憶媒体は、前記補正データを記憶する複数のアドレスを備えるとともに、特定のアドレスに全ての補正データを加算した加算データを記憶しており、前記補正データ書換工程は、所定のアドレスの補正データを変更することにより、その変更による差を前記加算データに同時に加算するステップを備え、前記データ検査工程は、全ての補正データを加算するステップと、その加算値と記憶された前記加算データとを比較するステップとを備え、一致するか否かにより整合性を検査することが好ましい。
【００１４】
前記家庭用電気製品では、前記マイコンは、データ検査工程での補正データの整合結果を前記表示手段に表示することが好ましい。このようにすれば、動作不良が各負荷部品の固有のバラツキにより発生したものか、第２記憶媒体に記憶したデータのバケにより発生したものかを作業者が簡単に判別することができる。
【００１５】
この場合、前記第２記憶媒体に、該第２記憶媒体に記憶させた補正データのバージョンナンバーを記憶させ、前記マイコンは、前記データ検査工程で補正データが整合していると判断すると、その整合結果として前記バージョンナンバーを表示する一方、整合していないと判断するとエラー表示をすることが好ましい。このようにすれば、複数種も有する機器の各補正データ管理を容易に行うことができる。
【００１６】
【発明の実施の形態】
以下、本発明の実施の形態を図面に従って説明する。
図１は、本発明の家庭用電気製品である誘導加熱方式の圧力炊飯器１を示す。この圧力炊飯器１は、内鍋２と、該内鍋２を収容する本体３と、該本体３に回動可能に取り付けられる蓋体８とからなる。
【００１７】
前記内鍋２は、熱伝導率が高いアルミ等からなる鍋母材の外面に、後述する誘導加熱コイル６への高周波電流の通電時に生じる渦電流によって電磁誘導加熱される強磁性材料をコーティングや接合等によって施したものである。
【００１８】
前記本体３は、外装体である有底筒形状をなす胴体４の内部に、前記内鍋２を収容する非導電性材料からなる保護枠５を備えている。これら胴体４と保護枠５との間には、誘導加熱コイル６、内鍋用温度センサ７およびマイコン３１を実装した制御基板２７が配設されている。
【００１９】
前記蓋体８は、前記内鍋２および本体３の開口部を開放可能に閉塞するもので、内鍋２の側に放熱板９、蓋ヒータ１０および内蓋１１が配設されている。そして、蓋体８の内部には、蓋体用温度センサ１２、圧力センサ１３、および、内鍋２内に圧力を投入するための調圧器１４が配設されている。
【００２０】
前記本体３の正面には、図２に示すメニュー選択装置１５が配設されている。このメニュー選択装置１５は、表示手段である液晶表示板１６と、入力手段である複数のキー１７ａ〜１７ｈを備えている。前記液晶表示板１６は、制御基板２７に実装したマイコン３１に液晶駆動部２８を介して接続されている。また、前記各キー１７ａ〜１７ｈの背後には、それぞれスイッチ１８ａ〜１８ｈが設けられ、これらのスイッチ１８ａ〜１８ｈが制御基板２７のマイコン３１に接続されている。なお、このメニュー選択装置１５は、蓋体８に配設してもよい。
【００２１】
前記キー１７ａ〜１７ｈとしては、該液晶表示板１６の左側に配置されたとりけしキー１７ａ、無洗米選択キー１７ｂ、炊き分けメニューキー１７ｃおよび健康メニューキー１７ｄと、前記液晶表示板１６の右側に配置された炊飯キー１７ｅ、アップキー１７ｆ、ダウンキー１７ｇおよび予約キー１７ｈとを備えている。炊飯キー１７ｅ、アップキー１７ｆ、ダウンキー１７ｇおよび予約キー１７ｈには、それらが押されたときに点灯する表示ランプ１９ａ〜１９ｄが設けられている。
【００２２】
液晶表示板１６の上方には、「白米」の印刷表示２０ａと、その下方に右に向かって「ふつう」、「やわらかめ」、「かため」および「白米急速」の各印刷表示２０ｂがなされている。液晶表示板１６には、最上段に、「ふつう」、「やわらかめ」、「かため」および「白米急速」の各印刷表示２０を指示する４つの三角形セグメント２１が配置され、該三角形セグメント２１の下段に、「無洗米」、「カレー用」、「弁当用」および「すしめし」の４個の炊き分けメニューセグメント２２が配置され、さらに該炊き分けメニューセグメント２２の下段に、「炊きこみ」、「おかゆ」および「おこわ」の３個の炊き分けメニューセグメント２３が配置されている。これらのセグメント２１，２２，２３は、炊き分けメニューキー１７ｃの右に水平方向に並ぶように配置されているので、キー操作しやすく、かつ、見やすい。
【００２３】
さらに、液晶表示板１６の中段には、予約時刻などを示す時刻表示セグメント２４ａが設けられ、この時刻表示セグメントの上側に「再加熱中」セグメント２４ｄや、「あと」、「時間」、「分」という文字のセグメントが配置されている。また、その右側には、朝昼夜を示すピクトを有する「予約１」セグメント２４ｂ、および、「予約２」セグメント２４ｃが配置されている。
【００２４】
前記液晶表示板１６の下段には、「分づき米」、「玄米」、「玄米活性」および「発芽玄米」の４つの健康メニューセグメント２５が配置されている。これらの健康メニューセグメント２５は、健康メニューキー１７ｄの右に水平方向に並ぶように配置されているので、キー操作しやすく、かつ、見やすい。液晶表示板１６の最下段には、圧力炊飯器１の圧力レベルを示すセグメント２６が配置されている。
【００２５】
前記制御基板２７は、前記液晶表示板１６の表示を行う周知の液晶駆動部２８と、第１記憶媒体であるＲＯＭ２９と、第２記憶媒体であるＥＥＰＲＯＭ３０と、マイコン３１とを備えている。なお、ＲＯＭ２９はマイコン３１に内蔵されている。
【００２６】
前記ＲＯＭには、各キー１７ａ〜１７ｈが操作されてスイッチ１７ａ〜１７ｈがオンすることにより、所定の動作を実行させるプログラムが記憶されている。このプログラムとしては、電源の投入時に実行される起動プログラムと、ユーザの操作により実行される炊飯プログラムと、製造メーカでの作業者の操作により実行される動作確認プログラムおよびメンテナンスプログラムとを有する。
【００２７】
前記起動プログラムは、ＲＯＭ設定やポート設定等のマイコン３１自身の初期設定を行うためのものである。
【００２８】
前記炊飯プログラムは、前記液晶表示板１６で所定の表示をしながら、負荷部品である誘導加熱コイル６、蓋ヒータ１０および調圧器１４を制御して予熱、中ぱっぱ、沸騰維持、むらしおよび２度炊きなどの工程を実行するものである。
【００２９】
前記動作確認プログラムは、出荷の際に圧力炊飯器１の電源コードを商用電源に接続しながら所定のキー１７ａ〜１７ｈを操作することにより実行されるもので、所定のキー操作により設計通りの動作が行われるか否かをテストするものである。
【００３０】
前記メンテナンスプログラムは、動作確認プログラムと同様に、電源コードを商用電源に接続しながら異なる所定のキー１７ａ〜１７ｈを操作することにより実行されるもので、後述するＥＥＰＲＯＭ３０に記憶した補正データを書き換える補正データ書換工程と、その補正データの整合性を検査するデータ検査工程とを有する。このデータ検査工程では、補正データが整合していると判断すると、後述するＥＥＰＲＯＭ３０に記憶する補正データのバージョンナンバーを表示するように構成している。
【００３１】
また、ＲＯＭ２９には、従来と同様に、センサ７，１２，１３の出力値に基づき、前記炊飯プログラムの各工程を実行する実行条件や次の工程への移行時期の判断基準となる複数の設定データが記憶されている。さらに、後述するＥＥＰＲＯＭ３０に記憶する補正データの許容値が記憶されている。
【００３２】
前記ＥＥＰＲＯＭ３０は、書換可能な不揮発性のプログラマブルＲＯＭであり、複数のアドレスを備え、その各アドレスに前記各設定データに対応する全ての補正データがそれぞれ記憶されている。また、本実施形態では、所定のアドレスにその補正データのバージョンナンバーが記憶されている。
【００３３】
なお、前記ＲＯＭ２９に記憶する設定データとＥＥＰＲＯＭ３０に記憶する補正データを以下の表１に示す。
【００３４】
【表１】
2004065564.tif 000003
【００３５】
前記表１に示すように、ＲＯＭ２９には、基本設定項目として４個の設定データＤａ１〜Ｄａ４が記憶されるとともに、バージョンナンバーを示す１個の設定データＤｂ１が記憶されている。また、前記炊飯プログラムの各動作の移行条件である温度や時間などの設定項目として５５個の設定データＤｃ１〜Ｄｃ５５が記憶されている。さらに、２個の設定データＤｄ１，Ｄｄ２と、前記設定データＤａ１〜Ｄｃ５５と同一の設定データＤｅ１〜Ｄｇ５５が記憶されている。なお、前記のうち、４個の設定データＤａ４，Ｄｄ１，Ｄｄ２，Ｄｅ４は同一のデータ内容である。このデータは、同一の構成で、所定の機能の有無のみが相違する機種を区別するための重要なデータであるため、４個のアドレスに記憶させている。
【００３６】
また、ＲＯＭ２９には、前記各設定データＤａ１〜Ｄｇ５５のそれぞれと対応するようにＥＥＰＲＯＭ３０に記憶する補正データの許容値が記憶されている。ここで、４個の設定データＤａ１〜Ｄａ４と対応する許容値は、その補正を行うか否かを意味する値である。バージョンナンバーを示す設定データＤｂ１と対応する許容値は、製造メーカで決定した０〜９９の値である。前記炊飯プログラムの項目である５５個の設定データＤｃ１〜Ｄｃ５５と対応する許容値は、本発明者らが実験に基づいて見出した範囲の数値である。設定データＤｄ１，Ｄｄ２と対応する許容値は、その補正を行うか否かを意味する値であり、設定データＤｅ１〜Ｄｇ５５と対応する許容値は、前記設定データＤａ１〜Ｄｃ５５と対応する許容値と同一の値である。
【００３７】
前記ＥＥＰＲＯＭ３０には、１６進数で表した００Ｈ〜３ＦＨの計６４個のアドレスを備え、その各アドレスを上位領域と下位領域の２つに区画し、計１２８個の情報を区画して記憶できる構成としている。
【００３８】
そして、本実施形態では、００Ｈのアドレスは未使用領域とし、０１Ｈの上位領域のアドレスにチェックサム比較データｄａ１が記憶されている。また、０１Ｈの下位領域のアドレスには、チェックサムダミーデータｄａ２が記憶されている。ここで、０１Ｈの上位領域のアドレスに記憶するチェックサム比較データｄａ１は、後述する全ての補正データｄｂ１〜ｄｈ５５の数値を予め加算した値であり、作業者が記憶させるものである。チェックサムダミーデータｄａ２は、補正データｄｂ１〜ｄｈ５５のいずれかが変更されることにより、この０１Ｈアドレスの下位領域に反映され、その変更による差が同時に加算されるように構成している。なお、作業者は、このダミーデータである０１Ｈ下位のｄａ２の値を、０１Ｈ上位のチェックサム比較データとして記憶させる。
【００３９】
また、０２Ｈと０３Ｈのアドレスの上下領域には、設定データＤａ１〜Ｄａ４と対応する補正データｄｂ１〜ｄｂ４が記憶されている。また、０４Ｈアドレスの上位領域には設定データＤｂ１と対応するバージョンナンバーデータｄｃ１が記憶されている。
【００４０】
また、０４Ｈアドレスの下位領域から１ＦＨアドレスの下位領域までの５５個の領域には、前記設定データＤｃ１〜Ｄｃ５５と対応する補正データｄｄ１〜ｄｄ５５が記憶されている。これら補正データｄｄ１〜ｄｄ５５は、前記ＲＯＭ２９に記憶された許容値の範囲内の値である。
【００４１】
また、２０Ｈのアドレスの上下領域には、設定データＤｄ１，Ｄｄ２と対応するとともに、０３Ｈの下位領域の補正データｄｂ４と同一の補正データｄｅ１，ｄｅ２が記憶されるている。また、２１Ｈから３ＥＨのアドレスの上下領域には、それぞれ設定データＤｅ１〜Ｄｇ５５と対応するとともに、ｄｂ１〜ｄｄ５５と同一の補正データｄｆ１〜ｄｈ５５が記憶されている。
【００４２】
次に、前記マイコン３１の動作について具体的に説明する。
マイコン３１は、電源が投入されると、図３に示すように、まず、ステップＳ１で、製造メーカで出荷の際に行う動作確認プログラムの実行操作がなされたか否かを検出する。そして、実行操作を検出した場合にはステップ２に進み、周知の動作確認処理を実行し、実行操作を検出しない場合にはステップＳ３に進む。
【００４３】
ステップＳ３では、製造メーカで修理する際に行うメンテナンスプログラムの実行操作がなされたか否かを検出する。そして、実行操作を検出した場合にはステップＳ４に進み、後述するメンテナンス処理を実行し、実行操作を検出しない場合にはステップＳ５に進む。
【００４４】
ステップＳ５では、ＲＯＭ設定やポート設定等の自身の起動処理を実行して動作可能な状態とした後、ステップＳ６で、炊飯制御処理を実行可能な待機状態となる。
【００４５】
前記メンテナンス処理では、図４に示すように、マイコン３１は、まず、ステップＳ１０で、前記キー１７ａ〜１７ｈの操作により前記液晶表示板１６を用いて各補正データ毎に書換可能とする補正データ書換工程を実行する。そして、この補正データ書換工程が確定すると、補正データの整合性を検査するデータ検査工程を実行する。
【００４６】
前記補正データ書換工程では、マイコン３１は、まず、図５（Ａ）に示すように、最上位に記憶された補正データである０２Ｈアドレスの上位領域の補正データｄｂ１を表示する。
【００４７】
ここで、本実施形態では、図示のように、時刻表示セグメント２４ａにおいて、左側の時間セグメントを使用して特定のアドレスを表示している。また、「予約１」セグメント２４ｂにより、アドレスの上位領域であることを表示し、「予約２」セグメント２４ｃにより、アドレスの下位領域であることを表示している。さらに、時刻表示セグメント２４ａにおいて、右側の分セグメントを使用してそのアドレスに記憶した補正データの内容を表示している。
【００４８】
この状態で、作業者がメニューキー１７ｃを所定時間以上操作し続けると、図５（Ｂ）に示すように、時刻表示セグメント２４ａにおけるアドレスを意味する時間セグメントを点滅させるとともに、「再加熱中」セグメント２４ｄを点灯させ、変更可能な状態であることを表示する。
【００４９】
ついで、作業者がダウンキー１７ｇを操作することにより、図５（Ｃ）に示すように、０２Ｈアドレスの下位領域の記憶内容の表示状態に遷移する。このようにダウンキー１７ｇを操作すると、順次アドレスを下向きに変更することができる。逆に、アップキー１７ｆを操作することにより、順次アドレスを上向きに変更することができる。即ち、図５（Ｂ）に示す状態で、アップキー１７ｆまたはダウンキー１７ｇを操作することにより、記憶内容を表示するアドレスを変更することができる。
【００５０】
また、図５（Ｂ）に示す状態で、予約キー１７ｈを操作すると、図５（Ｄ）に示すように、時刻表示セグメント２４ａにおける補正データの内容を意味する分セグメントを点滅させ、補正データを変更可能な状態であることを表示する。
【００５１】
ついで、作業者がダウンキー１７ｇを操作することにより、補正データを許容値内で下向き（数値の減少方向）に変更することができる。逆に、アップキー１７ｆを操作することにより、補正データを許容値内で上向き（数値の増大方向）に変更することができる。即ち、図５（Ｄ）に示す状態で、アップキー１７ｆまたはダウンキー１７ｇを操作することにより、その特定のアドレスの補正データを許容値の範囲内で変更することができる。また、この変更は、作業者が予約キー１７ｈを操作し、図５（Ｂ）に示す時間セグメントの点滅状態とすることにより確定される。
【００５２】
なお、前記のようにして０２Ｈ〜１ＦＨアドレスの前記補正データｄｂ１〜ｄｄ５５を変更すると、その変更をコピー領域である２１Ｈ〜３ＥＨアドレスの対応する補正データｄｆ１〜ｄｈ５５に反映し、同一数値に変更する。逆に、コピー領域である２１Ｈ〜３ＥＨアドレスの対応する補正データｄｆ１〜ｄｈ５５を変更するとその変更を０２Ｈ〜１ＦＨアドレスの前記補正データｄｂ１〜ｄｄ５５に反映し、同一数値に変更する。また、その変更による差を前記０１Ｈアドレスの下位領域に反映し、その差をチェックサムダミーデータｄａ２に同時に加算する。
【００５３】
このようにして、所定の項目の補正データを変更し、その変更を確定する場合には、作業者は、チェックサム比較データｄａ１のアドレスにチェックサム比較データｄａ２の値を記憶させ（書き換え）た後、とりけしキー１７ａを操作する。これにより、マイコン３１は、補正データ書換工程を終了し、データ検査工程に遷移する。
【００５４】
このデータ検査工程では、マイコン３１は、第１ステップで、ＥＥＰＲＯＭ３０に記憶された０２Ｈから３ＥＨまでの全てのアドレスの補正データｄｂ１〜ｄｈ５５の値を加算する。そして、第２ステップで、その加算したチェックサムデータと、予め記憶または更新記憶させた０１Ｈアドレスの上位領域のチェックサム比較データｄａ１とを比較する。
【００５５】
そして、比較したチェックサムデータとチェックサム比較データｄａ１とが一致した場合には、図６（Ａ）に示すように、時刻表示セグメント２４ａの時間セグメントにＣを表示させ、分セグメントに０４Ｈアドレスの上位領域に記憶されたバージョンナンバーを表示させる。
【００５６】
一方、チェックサムデータとチェックサム比較データｄａ１とが一致しない場合には、図６（Ｂ）に示すように、時刻表示セグメント２４ａを使用して予め設定したエラー表示を表示させる。
【００５７】
このように、本発明の圧力炊飯器１では、書換可能な不揮発性の第２記憶媒体としてＥＥＰＲＯＭ３０を搭載し、ＲＯＭ２９に記憶させたプログラムに使用する設定データの補正データを書換可能に記憶できるようにしたため、発売開始直前まで判断基準となる設定データを変更できる。また、圧力炊飯器１を構成する各負荷部品は、それぞれ固有のバラツキを有するが、出荷前に動作確認処理を実行するとともに、その際にＥＥＰＲＯＭ３０の補正データを調整できるため、各負荷部品のバラツキによる動作不良をなくすことができる。
【００５８】
また、本実施形態では、既存のキー１７ａ〜１７ｈを介してスイッチ１８ａ〜１８ｈを操作することにより、前記ＥＥＰＲＯＭ３０に記憶した補正データを液晶表示板１６で表示しながら希望に応じた値に変更することができる。そのため、ユーザから動作不良の苦情があった場合にも簡単に調整することができる。
【００５９】
さらに、本実施形態では、前記補正データ書換工程の実行後に、ＥＥＰＲＯＭ３０に記憶した補正データの整合性を検査するデータ検査工程を実行するため、その検査結果により前記動作不良が各負荷部品の固有のバラツキにより発生した不都合なのか、前記ＥＥＰＲＯＭ３０に記憶したデータのバケにより発生した不都合なのかを判別することができる。そのため、その後に同様の機器を開発する際の課題を見極めることができ、ユーザに対してより安定した商品を提供することが可能になる。
【００６０】
さらにまた、前記実施形態では、前記データ検査工程での補正データの整合結果を液晶表示板１６を用いて表示するようにしている。しかも、整合していると判断した場合にはＥＥＰＲＯＭ３０に記憶させた補正データのバージョンナンバーを表示するように構成しているため、複数種も有する機器の各補正データ管理を容易に行うことができる。
【００６１】
なお、本発明は前記実施形態の構成に限定されるものではない。
例えば、前記実施形態では、メンテナンスプログラムにおいて、補正データ書換工程の実行後にデータ検査工程を実行させたが、このデータ検査工程は、出荷時に行う動作確認処理の一工程として設けてもよい。
【００６２】
また、前記実施形態では、炊飯器を一例として挙げたが、電気ポット、空気清浄機、浄水器、加湿器等の家庭用電気製品にも同様に適用することができる。即ち、書換可能な不揮発性の第２記憶媒体を適用し、該第２記憶媒体に設定データの補正データを記憶させる家庭用電気製品において、入力手段の操作により表示手段を用いて各補正データ毎に書換可能とする補正データ書換工程を設けるとともに、その補正データの整合性を検査するデータ検査工程を設ければ、いずれの家庭用電気製品でも前記と同様の作用、効果を得ることができる。
【００６３】
【発明の効果】
以上の説明から明らかなように、本発明の家庭用電気製品では、既存の入力手段および表示手段を用いて第２記憶媒体に記憶した補正データを書き換えることができるため、ユーザから動作不良の苦情があった場合に簡単に調整することができる。また、この補正データ書換工程の実行後には、第２記憶媒体に記憶した補正データの整合性を検査するデータ検査工程を実行するため、前記動作不良が各負荷部品の固有のバラツキにより発生したものか、第２記憶媒体に記憶したデータのバケにより発生したものかを判別することができる。
【図面の簡単な説明】
【図１】本発明の実施形態に係る家庭用電気製品である圧力炊飯器を示す概略図である。
【図２】図１のメニュー選択装置を示すブロック図である。
【図３】マイコンの動作を示すフローチャートである。
【図４】図３のメンテナンス処理を示すフローチャートである。
【図５】（Ａ），（Ｂ），（Ｃ），（Ｄ）は補正データ書換処理における入力手段の操作による表示手段の表示状態を示す正面図である。
【図６】（Ａ），（Ｂ）はデータ検査工程における表示手段での検査結果の表示状態を示す正面図である。
【符号の説明】
１…圧力炊飯器（家庭用電気製品）、２…本体、４…胴体（外装体）、６…誘導加熱コイル（負荷部品）、７，１２，１３…センサ、８…蓋体、１０…蓋ヒータ（負荷部品）、１４…調圧器（負荷部品）、１５…メニュー選択装置、１６…液晶表示板（表示手段）、１７ａ〜１７ｈ…キー、１８ａ〜１８ｈ…スイッチ（入力手段）、２７…制御基板、２８…液晶駆動部、２９…ＲＯＭ、３０…ＥＥＰＲＯＭ、３１…マイコン。
【図１】
2004065564.tif 000004
【図２】
2004065564.tif 000005
【図３】
2004065564.tif 000006
【図４】
2004065564.tif 000007
【図５】
2004065564.tif 000008
【図６】
2004065564.tif 000009